(57)【要約】【課題】通信資源を効率的に使用すること。【解決手段】情報収集装置１０１は、移動体１０３に搭載された移動通信装置１０２からプローブ情報１２０を受信する。プローブ情報１２０は、移動通信装置１０２の位置情報と移動通信装置１０２の周囲の環境を特徴付ける環境情報とを含む情報である。情報収集装置１０１は、受信したプローブ情報１２０に含まれる移動通信装置１０２の位置情報に基づいて、移動通信装置１０２が特定のエリアＡ内に存在するか否かを判定する。情報収集装置１０１は、移動通信装置１０２が特定のエリアＡ内に存在する場合、移動通信装置１０２の周囲の環境を特徴付ける環境情報の送信を停止する停止要求１３０を移動通信装置１０２に送信する。【選択図】図１
2012198645.tif 000002
【特許請求の範囲】
【請求項１】
移動通信装置の位置情報を少なくとも含むプローブ情報を前記移動通信装置から受信し、
受信した前記移動通信装置のプローブ情報が、周囲の環境を特徴付ける環境情報を含む第１のプローブ情報であるか、周囲の環境を特徴付ける環境情報を含まない第２のプローブ情報であるかを判断し、
前記プローブ情報が前記第１のプローブ情報である場合、該第１のプローブ情報を記憶部に記憶し、
受信した前記移動通信装置のプローブ情報に含まれる位置情報に基づいて、前記移動通信装置が特定のエリア内に存在するか否かを判定し、
前記移動通信装置が前記特定のエリア内に存在する場合、前記移動通信装置の周囲の環境を特徴付ける環境情報の送信を停止する停止要求を前記移動通信装置に送信する、
処理をコンピュータが実行することを特徴とする情報収集方法。
【請求項２】
前記停止要求を前記移動通信装置に送信した後、前記移動通信装置のプローブ情報を前記移動通信装置から受信し、
受信した前記移動通信装置のプローブ情報に含まれる位置情報に基づいて、前記移動通信装置が前記特定のエリア内に存在するか否かを判定し、
前記移動通信装置が前記特定のエリア内に存在する場合、前記記憶部に記憶されている前記特定のエリアの環境情報のうち受信した前記プローブ情報に含まれる時刻情報から所定時間内に取得された情報があるか否かを判定し、
前記所定時間内に取得された情報がない場合、前記移動通信装置の周囲の環境を特徴付ける環境情報の送信を停止する停止状態からの復帰要求を前記移動通信装置に送信する、
処理を前記コンピュータが実行することを特徴とする請求項１に記載の情報収集方法。
【請求項３】
前記停止要求を前記移動通信装置に送信した後、前記移動通信装置のプローブ情報を前記移動通信装置から受信し、
受信した前記移動通信装置のプローブ情報に含まれる位置情報に基づいて、前記移動通信装置が前記特定のエリア内に存在するか否かを判定し、
前記移動通信装置が前記特定のエリア内に存在しない場合、前記移動通信装置の周囲の環境を特徴付ける環境情報の送信を停止する停止状態からの復帰要求を前記移動通信装置に送信する、
処理を前記コンピュータが実行することを特徴とする請求項１または２に記載の情報収集方法。
【請求項４】
前記移動通信装置が前記特定のエリア内に存在するか否かを判定する処理は、
受信した前記移動通信装置の位置情報および当該位置情報が取得された時点に基づいて、前記移動通信装置が特定の時期に前記特定のエリア内に存在するか否かを判定し、
前記停止要求を送信する処理は、
前記移動通信装置が前記特定の時期に前記特定のエリア内に存在する場合、前記停止要求を前記移動通信装置に送信することを特徴とする請求項１〜３のいずれか一つに記載の情報収集方法。
【請求項５】
前記移動通信装置の周囲の環境を特徴付ける環境情報は、ＧＰＳ衛星から発信されるＧＰＳ信号の遅延量を示すことを特徴とする請求項１〜４のいずれか一つに記載の情報収集方法。
【請求項６】
前記特定のエリアの大きさは、観測対象となる気象現象に対応する水蒸気量の空間分解能に基づいて設定されることを特徴とする請求項５に記載の情報収集方法。
【請求項７】
前記所定時間は、観測対象となる気象現象に対応する水蒸気量の時間分解能に基づいて設定されることを特徴とする請求項５または６に記載の情報収集方法。
【請求項８】
移動通信装置の位置情報を少なくとも含むプローブ情報を前記移動通信装置から受信し、
受信した前記移動通信装置のプローブ情報が、周囲の環境を特徴付ける環境情報を含む第１のプローブ情報であるか、周囲の環境を特徴付ける環境情報を含まない第２のプローブ情報であるかを判断し、
前記プローブ情報が前記第１のプローブ情報である場合、該第１のプローブ情報を記憶部に記憶し、
受信した前記移動通信装置のプローブ情報に含まれる位置情報に基づいて、前記移動通信装置が特定のエリア内に存在するか否かを判定し、
前記移動通信装置が前記特定のエリア内に存在する場合、前記移動通信装置の周囲の環境を特徴付ける環境情報の送信を停止する停止要求を前記移動通信装置に送信する、
処理をコンピュータに実行させることを特徴とする情報収集プログラム。
【発明の詳細な説明】
【技術分野】
【０００１】
本発明は、情報を収集する情報収集方法および情報収集プログラムに関する。
【背景技術】
【０００２】
従来、各地に点在する車両や携帯電話端末などの移動体から様々な情報を収集して、各種サービスに活用する技術（いわゆる、「プローブ技術」）がある。例えば、走行中の車両から、車両の速度、位置、ワイパーの稼働状況などの情報を収集して、渋滞情報や天候情報などのサービスに活用するものがある。
【０００３】
関連する先行技術としては、例えば、ＧＰＳ（Ｇｌｏｂａｌ  Ｐｏｓｉｔｉｏｎｉｎｇ  Ｓｙｓｔｅｍ）衛星から信号が発信されてから受信機によって受信されるまでの遅延時間に基づいて、大気中に存在する水蒸気量を算出する技術がある。また、移動局の周辺に位置する固定局で求めた天頂大気遅延量から移動局地点での天頂大気遅延量を推定して、移動局地点での可降水量を導出する技術がある。
【先行技術文献】
【特許文献】
【０００４】
【特許文献１】特開２００７−１０４６０号公報
【特許文献２】特開２００７−８５７５５号公報
【発明の概要】
【発明が解決しようとする課題】
【０００５】
しかしながら、従来技術では、移動体から収集された情報群の中には利用されない情報が多く含まれていることがあり、無駄に多くの通信資源を使用してしまう場合があるという問題があった。例えば、ある地域に移動体が密集している場合、移動体から収集された情報は、その内容が他の移動体から収集された情報と類似していることが多いため利用されない場合が多い。
【０００６】
本発明は、上述した従来技術による問題点を解消するため、通信資源を効率的に使用することができる情報収集方法および情報収集プログラムを提供することを目的とする。
【課題を解決するための手段】
【０００７】
上述した課題を解決し、目的を達成するため、本発明の一側面によれば、移動通信装置の位置情報を少なくとも含むプローブ情報を前記移動通信装置から受信し、受信した前記移動通信装置のプローブ情報が、周囲の環境を特徴付ける環境情報を含む第１のプローブ情報であるか、周囲の環境を特徴付ける環境情報を含まない第２のプローブ情報であるかを判断し、前記プローブ情報が前記第１のプローブ情報である場合、該第１のプローブ情報を記憶部に記憶し、受信した前記移動通信装置のプローブ情報に含まれる位置情報に基づいて、前記移動通信装置が特定のエリア内に存在するか否かを判定し、前記移動通信装置が前記特定のエリア内に存在する場合、前記移動通信装置の周囲の環境を特徴付ける環境情報の送信を停止する停止要求を前記移動通信装置に送信する情報収集方法および情報収集プログラムが提案される。
【発明の効果】
【０００８】
本発明の一側面によれば、通信資源を効率的に使用することができるという効果を奏する。
【図面の簡単な説明】
【０００９】
【図１】図１は、実施の形態にかかる情報収集方法の一実施例を示す説明図（その１）である。
【図２】図２は、実施の形態にかかる情報収集方法の一実施例を示す説明図（その２）である。
【図３】図３は、実施の形態にかかる情報収集システム３００のシステム構成例を示す説明図である。
【図４】図４は、実施の形態にかかる情報収集装置１０１のハードウェア構成例を示すブロック図である。
【図５】図５は、実施の形態にかかる移動通信装置１０２−ｊのハードウェア構成例を示すブロック図である。
【図６】図６は、プローブ情報ＤＢ１１０の記憶内容の一例を示す説明図である。
【図７】図７は、車両ＤＢ７００の記憶内容の一例を示す説明図である。
【図８】図８は、エリアテーブル８００の記憶内容の一例を示す説明図である。
【図９】図９は、第１のプローブ情報の具体例を示す説明図である。
【図１０】図１０は、第２のプローブ情報の具体例を示す説明図である。
【図１１】図１１は、実施の形態にかかる情報収集装置１０１の機能的構成を示すブロック図である。
【図１２】図１２は、水蒸気量リスト１２００の具体例を示す説明図である。
【図１３】図１３は、実施の形態にかかる移動通信装置１０２−ｊの機能的構成を示すブロック図である。
【図１４】図１４は、実施の形態にかかる情報収集装置１０１の情報収集処理手順の一例を示すフローチャート（その１）である。
【図１５】図１５は、実施の形態にかかる情報収集装置１０１の情報収集処理手順の一例を示すフローチャート（その２）である。
【図１６】図１６は、実施の形態にかかる移動通信装置１０２−ｊの情報提供処理手順の一例を示すフローチャートである。
【発明を実施するための形態】
【００１０】
以下に添付図面を参照して、この発明にかかる情報収集方法および情報収集プログラムの実施の形態を詳細に説明する。
【００１１】
（情報収集方法の一実施例）
図１および図２は、実施の形態にかかる情報収集方法の一実施例を示す説明図である。図１において、情報収集装置１０１は、プローブ情報ＤＢ（データベース）１１０を備え、各地に点在する移動通信装置１０２からプローブ情報を収集するコンピュータである。
【００１２】
プローブ情報ＤＢ１１０は、複数の移動通信装置１０２から収集したプローブ情報を記憶する。プローブ情報とは、例えば、移動通信装置１０２の位置情報と、移動通信装置１０２の周囲の環境を特徴付ける環境情報とを含む情報である。なお、プローブ情報ＤＢ１１０の記憶内容については、図６を用いて後述する。
【００１３】
移動通信装置１０２は、自装置の位置情報を取得する機能を有する。また、移動通信装置１０２は、自装置の周囲の環境を特徴付ける環境情報を取得する機能を有する。また、移動通信装置１０２は、自装置の位置情報と、自装置の周囲の環境を特徴付ける環境情報とを含むプローブ情報を情報収集装置１０１に送信する機能を有する。移動通信装置１０２は、例えば、車両に搭載されたナビゲーション装置や、携帯電話端末、ＰＤＡ（Ｐｅｒｓｏｎａｌ  Ｄｉｇｉｔａｌ  Ａｓｓｉｓｔａｎｔ）などである。
【００１４】
ここで、移動通信装置１０２の周囲の環境を特徴付ける環境情報とは、例えば、移動通信装置１０２の周囲の気温、気圧、水蒸気量などを特徴付ける情報である。また、環境情報として、移動通信装置１０２の周囲の交通状況を特徴付ける車両（例えば、移動体１０３）の速度、ブレーキの使用状況、ワイパーの稼働状況、撮影画像などを示す情報を含むことにしてもよい。
【００１５】
以下、情報収集装置１０１が実行する情報収集方法の一実施例について説明する。
【００１６】
（１−１）情報収集装置１０１は、移動体１０３に搭載された移動通信装置１０２からプローブ情報１２０を受信する。ここで、プローブ情報１２０は、移動通信装置１０２の位置情報と移動通信装置１０２の周囲の環境を特徴付ける環境情報とを含む情報である。
【００１７】
（１−２）情報収集装置１０１は、受信したプローブ情報１２０に含まれる移動通信装置１０２の位置情報、時刻情報、車輌識別子情報と移動通信装置１０２の周囲の環境を特徴付ける環境情報とを関連付けてプローブ情報ＤＢ１１０に登録する。
【００１８】
（１−３）情報収集装置１０１は、受信したプローブ情報１２０に含まれる移動通信装置１０２の位置情報に基づいて、移動通信装置１０２が特定のエリアＡ内に存在するか否かを判定する。特定のエリアＡは、予め規定された所定範囲の領域である。特定のエリアＡは、例えば、車両や人などの移動体が密集する幹線道路、繁華街などを含む領域である。
【００１９】
（１−４）情報収集装置１０１は、移動通信装置１０２が特定のエリアＡ内に存在する場合、移動通信装置１０２の周囲の環境を特徴付ける環境情報の送信を停止する停止要求１３０を移動通信装置１０２に送信する。この結果、移動通信装置１０２は、自装置の周囲の環境を特徴付ける環境情報の送信を一時的に停止する。
【００２０】
これにより、特定のエリアＡにおける移動通信装置１０２から情報収集装置１０１への環境情報の送信を一時的に停止させることができる。
【００２１】
（２−１）情報収集装置１０１は、移動通信装置１０２に停止要求１３０を送信した後、移動通信装置１０２からプローブ情報１４０を受信する。ここで、プローブ情報１４０は、移動通信装置１０２の位置情報を含む情報である。ただし、プローブ情報１４０は、移動通信装置１０２の周囲の環境を特徴付ける環境情報を含まない。
【００２２】
（２−２）情報収集装置１０１は、受信したプローブ情報１４０に含まれる移動通信装置１０２の位置情報に基づいて、移動通信装置１０２が特定のエリアＡ内に存在するか否かを判定する。
【００２３】
（２−３）情報収集装置１０１は、移動通信装置１０２が特定のエリアＡ内に存在する場合、プローブ情報ＤＢ１１０に記憶されている特定のエリアＡ内で収集された環境情報のうち、他の移動通信装置から受信した情報も含め、最新の環境情報が取得されてから所定時間Ｔが経過しているか否かを判定する。
【００２４】
（２−４）情報収集装置１０１は、所定時間Ｔが経過している場合、移動通信装置１０２の周囲の環境を特徴付ける環境情報の送信を停止する停止状態からの復帰要求１５０を移動通信装置１０２に送信する。すなわち、所定時間Ｔ以上、移動通信装置１０２から環境情報を受信していない場合、情報収集装置１０１が移動通信装置１０２に環境情報の送信を要求する。移動通信装置１０２は、直前に送信したプローブ情報と同じタイミングで取得していた環境情報を送信し、その後のプローブ情報送信の際に、環境情報を含んだプローブ情報を送信するようになる。
【００２５】
これにより、特定のエリアＡ内において、移動通信装置１０２から情報収集装置１０１への環境情報の送信が所定時間Ｔ以上行われていない場合、移動通信装置１０２から情報収集装置１０１への環境情報の送信を再開させることができる。
【００２６】
このように、情報収集装置１０１によれば、特定のエリアＡを進行している移動通信装置１０２からの環境情報の収集を一時的に制限することができる。これにより、例えば、特定のエリアＡを、移動通信装置１０２が密集する地域や、一時的に環境情報の収集対象外となる地域に設定することで、利用されない環境情報の収集にかかる無駄な通信資源の使用を抑制することができる。
【００２７】
（情報収集システム３００のシステム構成例）
つぎに、実施の形態にかかる情報収集システム３００について説明する。ここでは一例として、情報収集装置１０１を、移動通信装置１０２の周囲の水蒸気量を特徴付ける環境情報を収集する情報収集システム３００に適用した場合について説明する。
【００２８】
図３は、実施の形態にかかる情報収集システム３００のシステム構成例を示す説明図である。図３において、情報収集システム３００は、情報収集装置１０１と、移動通信装置１０２−１〜１０２−ｍと、を含む構成である。情報収集装置１０１および移動通信装置１０２−１〜１０２−ｍは、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などのネットワーク２１０を介して接続されている。
【００２９】
情報収集システム３００において、各移動通信装置１０２−１〜１０２−ｍは、それぞれ異なる車両１０３−１〜１０３−ｍに搭載されている。移動通信装置１０２−１〜１０２−ｍは、後述するＧＰＳユニット５１１により、自装置の位置情報を取得する機能を有する。また、移動通信装置１０２−１〜１０２−ｍは、ＧＰＳ信号の遅延量を取得する機能を有する。
【００３０】
ここで、ＧＰＳ信号の遅延量とは、ＧＰＳ衛星から発信されるＧＰＳ信号の遅延時間を表す指標値である。ＧＰＳ衛星から発信されたＧＰＳ信号が大気中を通過して移動通信装置１０２−１〜１０２−ｍに届くまでの時間は、大気中の水蒸気によって遅延する。すなわち、ＧＰＳ信号の遅延量は、ＧＰＳ信号と移動体通信装置１０２−１〜１０２−ｍの間にある大気の水蒸気量を特徴付ける情報となる。遅延量の単位は［ｍ：メートル］であり、遅延時間とＧＰＳ信号伝搬速度の積で算出される。
【００３１】
以下の説明では、移動通信装置１０２−１〜１０２−ｍのうち任意の移動通信装置を「移動通信装置１０２−ｊ」と表記する（ｊ＝１，２，…，ｍ）。
【００３２】
（情報収集装置１０１のハードウェア構成例）
図４は、実施の形態にかかる情報収集装置１０１のハードウェア構成例を示すブロック図である。図４において、情報収集装置１０１は、ＣＰＵ（Ｃｅｎｔｒａｌ  Ｐｒｏｃｅｓｓｉｎｇ  Ｕｎｉｔ）４０１と、ＲＯＭ（Ｒｅａｄ‐Ｏｎｌｙ  Ｍｅｍｏｒｙ）４０２と、ＲＡＭ（Ｒａｎｄｏｍ  Ａｃｃｅｓｓ  Ｍｅｍｏｒｙ）４０３と、磁気ディスクドライブ４０４と、磁気ディスク４０５と、光ディスクドライブ４０６と、光ディスク４０７と、ディスプレイ４０８と、Ｉ／Ｆ（Ｉｎｔｅｒｆａｃｅ）４０９と、キーボード４１０と、マウス４１１と、スキャナ４１２と、プリンタ４１３と、を有している。また、各構成部はバス４００によってそれぞれ接続されている。
【００３３】
ここで、ＣＰＵ４０１は、情報収集装置１０１の全体の制御を司る。ＲＯＭ４０２は、ブートプログラムなどのプログラムを記憶している。ＲＡＭ４０３は、ＣＰＵ４０１のワークエリアとして使用される。磁気ディスクドライブ４０４は、ＣＰＵ４０１の制御にしたがって磁気ディスク４０５に対するデータのリード／ライトを制御する。磁気ディスク４０５は、磁気ディスクドライブ４０４の制御で書き込まれたデータを記憶する。また、ノード（交差点）とリンク（交差点間をつなぐ道路）で表現された地図データなどがＲＯＭ４０２またはＲＡＭ４０３または磁気ディスク４０５に格納されている。
【００３４】
光ディスクドライブ４０６は、ＣＰＵ４０１の制御にしたがって光ディスク４０７に対するデータのリード／ライトを制御する。光ディスク４０７は、光ディスクドライブ４０６の制御で書き込まれたデータを記憶したり、光ディスク４０７に記憶されたデータをコンピュータに読み取らせたりする。
【００３５】
ディスプレイ４０８は、カーソル、アイコンあるいはツールボックスをはじめ、文書、画像、機能情報などのデータを表示する。このディスプレイ４０８は、例えば、ＣＲＴ、ＴＦＴ液晶ディスプレイ、プラズマディスプレイなどを採用することができる。
【００３６】
Ｉ／Ｆ４０９は、通信回線を通じてネットワーク２１０に接続され、ネットワーク２１０を介して他の装置に接続される。そして、Ｉ／Ｆ４０９は、ネットワーク２１０と内部のインターフェースを司り、外部装置からのデータの入出力を制御する。Ｉ／Ｆ４０９には、例えば、モデムやＬＡＮアダプタなどを採用することができる。
【００３７】
キーボード４１０は、文字、数字、各種指示などの入力のためのキーを備え、データの入力を行う。また、キーボード４１０は、タッチパネル式の入力パッドやテンキーなどであってもよい。マウス４１１は、カーソルの移動や範囲選択、あるいはウィンドウの移動やサイズの変更などを行う。ポインティングデバイスとして同様に機能を備えるものであれば、トラックボールやジョイスティックなどであってもよい。
【００３８】
スキャナ４１２は、画像を光学的に読み取り、情報収集装置１０１内に画像データを取り込む。なお、スキャナ４１２は、ＯＣＲ（Ｏｐｔｉｃａｌ  Ｃｈａｒａｃｔｅｒ  Ｒｅａｄｅｒ）機能を持たせてもよい。また、プリンタ４１３は、画像データや文書データを印刷する。プリンタ４１３には、例えば、レーザプリンタやインクジェットプリンタを採用することができる。
【００３９】
なお、情報収集装置１０１は、光ディスクドライブ４０６、光ディスク４０７、ディスプレイ４０８、キーボード４１０、マウス４１１、スキャナ４１２およびプリンタ４１３等を備えないことにしてもよい。
【００４０】
（移動通信装置１０２−ｊのハードウェア構成例）
図５は、実施の形態にかかる移動通信装置１０２−ｊのハードウェア構成例を示すブロック図である。図５において、移動通信装置１０２−ｊは、ＣＰＵ５０１と、ＲＯＭ５０２と、ＲＡＭ５０３と、磁気ディスクドライブ５０４と、磁気ディスク５０５と、光ディスクドライブ５０６と、光ディスク５０７と、ディスプレイ５０８と、Ｉ／Ｆ５０９と、入力デバイス５１０と、ＧＰＳユニット５１１と、各種センサ５１２と、を有している。また、各構成部はバス５００によってそれぞれ接続されている。
【００４１】
ここで、ＣＰＵ５０１は、移動通信装置１０２−ｊの全体の制御を司る。ＲＯＭ５０２は、ブートプログラムなどのプログラムを記憶している。ＲＡＭ５０３は、ＣＰＵ５０１のワークエリアとして使用される。磁気ディスクドライブ５０４は、ＣＰＵ５０１の制御にしたがって磁気ディスク５０５に対するデータのリード／ライトを制御する。磁気ディスク５０５は、磁気ディスクドライブ５０４の制御で書き込まれたデータを記憶する。また、ノード（交差点）とリンク（交差点間をつなぐ道路）で表現された地図データなどがＲＯＭ５０２またはＲＡＭ５０３または磁気ディスク５０５に格納されている。
【００４２】
光ディスクドライブ５０６は、ＣＰＵ５０１の制御にしたがって光ディスク５０７に対するデータのリード／ライトを制御する。光ディスク５０７は、光ディスクドライブ５０６の制御で書き込まれたデータを記憶したり、光ディスク５０７に記憶されたデータをコンピュータに読み取らせたりする。
【００４３】
ディスプレイ５０８は、カーソル、アイコンあるいはツールボックスをはじめ、文書、画像、機能情報などのデータを表示する。ディスプレイ５０８は、例えば、ＣＲＴ、ＴＦＴ液晶ディスプレイ、プラズマディスプレイなどを採用することができる。
【００４４】
Ｉ／Ｆ５０９は、通信回線を通じてネットワーク２１０に接続され、ネットワーク２１０を介して他の装置に接続される。そして、Ｉ／Ｆ５０９は、ネットワーク２１０と内部のインターフェースを司り、外部装置からのデータの入出力を制御する。入力デバイス５１０は、文字、数字、各種指示などの入力のためのキーを備え、データの入力を行う。また、入力デバイス５１０はタッチパネル式の入力パッドやテンキーなどであってもよい。
【００４５】
ＧＰＳユニット５１１は、ＧＰＳ衛星からの電波（ＧＰＳ信号）を受信し、車両（移動通信装置１０２−ｊ）の位置を示す位置情報を出力する。車両の位置情報は、例えば、緯度・経度、高度などの地球上の１点を特定する情報である。なお、車両の位置情報は、各種センサ５１２の出力値を用いて補正されることにしてもよい。
【００４６】
各種センサ５１２は、気温、気圧などの車両の周囲の環境を特徴付ける情報を出力する。また、各種センサ５１２は、車両の位置や挙動を判断する情報を出力する。各種センサ５１２の出力値は、ＣＰＵ５０１による移動通信装置１０２−ｊの現在位置の算出や、速度や方位の変化量の測定などに用いられる。
【００４７】
また、各種センサ５１２は、例えば、ドライバーによる車両の各操作を検知するセンサなどを含むことにしてもよい。具体的には、例えば、各種センサ５１２は、ワイパーのＯＮ／ＯＦＦ、ハンドル操作、ウインカーの入力、車両のドアの開閉、車両のエンジンのＯＮ／ＯＦＦなどを検知することにしてもよい。
【００４８】
（各種ＤＢ等１１０，６００，７００の記憶内容）
つぎに、情報収集装置１０１が用いる各種ＤＢ等１１０，６００，７００の記憶内容について説明する。各種ＤＢ等１１０，６００，７００は、例えば、図４に示した情報収集装置１０１のＲＯＭ４０２、ＲＡＭ４０３、磁気ディスク４０５、光ディスク４０７などの記憶装置により実現される。
【００４９】
＜プローブ情報ＤＢ１１０の記憶内容＞
図６は、プローブ情報ＤＢ１１０の記憶内容の一例を示す説明図である。図６において、プローブ情報ＤＢ１１０は、時刻、車両ＩＤ、緯度／経度、エリアＩＤ、遅延量および水蒸気量のフィールドを有する。各フィールドの情報を設定することで、プローブ情報６００−１〜６００−Ｋがレコードとして記憶されている。
【００５０】
ここで、時刻は、移動通信装置１０２−ｊの位置情報が取得された時刻である（単位：年／月／日  時：分：秒）。車両ＩＤは、移動通信装置１０２−ｊが搭載された車両の識別子である。緯度／経度は、移動通信装置１０２−ｊの位置情報である（単位：度．分）。移動通信装置１０２−ｊの位置情報は、移動通信装置１０２−ｊが搭載された車両の位置を示している。
【００５１】
エリアＩＤは、車両が存在する密集エリアの識別子である。密集エリアとは、車両（移動通信装置１０２−ｊ）が密集する領域であり、例えば、幹線道路、繁華街などを含む領域である。遅延量は、ＧＰＳ衛星から発信されたＧＰＳ信号の遅延量である（単位：［ｍ］）。水蒸気量は、１［ｍ3］当たりに含まれる水蒸気の質量である（単位：［ｇ／ｍ3］）。
【００５２】
プローブ情報６００−１を例に挙げると、時刻「２０１０／０２／１４  １２：００：００」に取得された、車両Ｖ１に搭載された移動通信装置１０２−ｊの位置を示す緯度／経度「３５．６９／１３９．６９」が示されている。また、プローブ情報６００−１には、車両Ｖ１が存在するエリアのエリアＩＤ「Ａ１」、移動通信装置１０２−ｊの位置情報の算出に利用されたＧＰＳ信号の遅延量「２」およびＧＰＳ信号の遅延量から算出された水蒸気量「１」が示されている。
【００５３】
以下の説明では、プローブ情報６００−１〜６００−Ｋのうち任意のプローブ情報を「プローブ情報６００−ｋ」と表記する（ｋ＝１，２，…，Ｋ）。
【００５４】
＜車両ＤＢ７００の記憶内容＞
図７は、車両ＤＢ７００の記憶内容の一例を示す説明図である。図７において、車両ＤＢ７００は、車両ＩＤ、アドレス、車番および車種のフィールドを有する。各フィールドの情報を設定することで、車両情報（例えば、７００−１，７００−２）がレコードとして記憶されている。
【００５５】
ここで、車両ＩＤは、移動通信装置１０２−ｊが搭載された車両の識別子である。アドレスは、車両に搭載された移動通信装置１０２−ｊのアドレスである。アドレスとして、例えば、移動通信装置１０２−ｊのＩＰ（Ｉｎｔｅｒｎｅｔ  Ｐｒｏｔｏｃｏｌ）アドレスを用いることができる。車番は、車両の車両番号である。車種は、車両の種類である。
【００５６】
車両情報７００−１を例に挙げると、車両Ｖ１のアドレス「１０．１０．ｘｘ．１０」、車番「１１−ｘｘ−１２３」および車種「○○」が示されている。
【００５７】
＜エリアテーブル８００の記憶内容＞
図８は、エリアテーブル８００の記憶内容の一例を示す説明図である。図８において、エリアテーブル８００は、エリアＩＤ、緯度１／経度１、緯度２／経度２、曜日および時間帯のフィールドを有する。各フィールドに情報を設定することで、エリアＡ１〜Ａｎのエリア情報８００−１〜８００−ｎがレコードとして記憶されている。
【００５８】
エリアＩＤは、密集エリアの識別子である。緯度１／経度１および緯度２／経度２は、密集エリアを矩形により表現した際の対角頂点の緯度／経度である。緯度１／経度１および緯度２／経度２によれば、密集エリアを表す地球上の領域を特定することができる。
【００５９】
曜日は、密集エリアにおいて車両（移動通信装置１０２−ｊ）が密集する曜日である。時間帯は、密集エリアにおいて車両（移動通信装置１０２−ｊ）が密集する時間帯である。なお、車両が密集する密集エリア、曜日、時間帯は、移動通信装置１０２−ｊから収集された過去のプローブ情報をもとに推定されたものである。
【００６０】
エリア情報８００−１を例に挙げると、密集エリアＡ１の緯度１／経度１「３５．５０／１３９．５０」、緯度２／経度２「３６．００／１４０．００」、曜日「月−金」および時間帯「０８：００−１０：００」が示されている。なお、「月−金」は、月曜日から金曜日までのすべての曜日を表している。また、「０８：００−１０：００」は、８時から１０時までの時間帯を表している。
【００６１】
上述した密集エリアの大きさは、例えば、観測対象となる気象現象に対応する水蒸気量の空間分解能に基づいて設定される。以下、観測対象となる気象現象に応じた密集エリアの大きさの設定例について説明する。
【００６２】
例えば、観測対象となる気象現象が局地的豪雨（ゲリラ豪雨）の場合、局地的豪雨の水平スケールは１０ｋｍ四方程度の領域となり、要求される水蒸気量の空間分解能は１ｋｍ程度となる。この場合、密集エリアの大きさは、例えば、１辺の長さが１ｋｍの正方形として設定される。
【００６３】
例えば、観測対象となる気象現象が対流性豪雨（集中豪雨）の場合、対流性豪雨の水平スケールは１０〜数１０ｋｍ四方程度の領域となり、要求される水蒸気量の空間分解能は２．５ｋｍ程度となる。この場合、密集エリアの大きさは、例えば、１辺の長さが２．５ｋｍの正方形として設定される。
【００６４】
例えば、観測対象となる気象現象が寒冷前線の場合、寒冷前線の水平スケールは２００〜５００ｋｍ程度の領域となり、要求される水蒸気量の空間分解能は２０ｋｍ程度となる。この場合、密集エリアの大きさは、例えば、１辺の長さが２０ｋｍの正方形として設定される。
【００６５】
以下の説明では、密集エリアＡ１〜Ａｎのうち任意の密集エリアを「密集エリアＡｉ」と表記する（ｉ＝１，２，…，ｎ）。
【００６６】
（プローブ情報の具体例）
つぎに、移動通信装置１０２−ｊから情報収集装置１０１に送信されるプローブ情報の具体例について説明する。ここでは、車両Ｖ１に搭載されている移動通信装置１０２−１から情報収集装置１０１に送信されるプローブ情報を例に挙げて説明する。
【００６７】
図９は、第１のプローブ情報の具体例を示す説明図である。図９において、第１のプローブ情報９００は、時刻、車両ＩＤ、緯度／経度および遅延量に関する情報を有する。
【００６８】
ここで、時刻は、移動通信装置１０２−ｊの位置情報が取得された時刻である。車両ＩＤは、移動通信装置１０２−ｊが搭載された車両の識別子である。緯度／経度は、移動通信装置１０２の位置情報である。遅延量は、ＧＰＳ衛星から発信されたＧＰＳ信号の遅延量である。
【００６９】
具体的には、第１のプローブ情報９００は、時刻「２０１０／０２／１４  １２：００：００」、車両ＩＤ「Ｖ１」、緯度／経度「３５．６９／１３９．６９」および遅延量「２」を示している。第１のプローブ情報９００によれば、車両Ｖ１に搭載されている移動通信装置１０２−１の位置情報、該位置情報の取得時刻および該位置情報の算出に利用されたＧＰＳ信号の遅延量を特定することができる。
【００７０】
図１０は、第２のプローブ情報の具体例を示す説明図である。図１０において、第２のプローブ情報１０００は、時刻、車両ＩＤおよび緯度／経度に関する情報を有する。
【００７１】
ここで、時刻は、移動通信装置１０２−ｊの位置情報が取得された時刻である。車両ＩＤは、移動通信装置１０２−ｊが搭載された車両の識別子である。緯度／経度は、移動通信装置１０２の位置情報である。
【００７２】
具体的には、第２のプローブ情報１０００は、時刻「２０１０／０２／１４  １２：００：１０」、車両ＩＤ「Ｖ１」および緯度／経度「３５．６９／１３９．６９」を示している。第２のプローブ情報１０００によれば、車両Ｖ１に搭載されている移動通信装置１０２−１の位置情報および該位置情報の取得時刻を特定することができる。
【００７３】
（情報収集装置１０１の機能的構成例）
つぎに、情報収集装置１０１の機能的構成例について説明する。図１１は、実施の形態にかかる情報収集装置１０１の機能的構成を示すブロック図である。図１１において、情報収集装置１０１は、受信部１１０１と、登録部１１０２と、第１の判定部１１０３と、送信部１１０４と、第２の判定部１１０５と、算出部１１０６と、出力部１１０７と、を含む構成である。この制御部となる機能（受信部１１０１〜出力部１１０７）は、具体的には、例えば、図４に示したＲＯＭ４０２、ＲＡＭ４０３、磁気ディスク４０５、光ディスク４０７などの記憶装置に記憶されたプログラムをＣＰＵ４０１に実行させることにより、または、Ｉ／Ｆ４０９により、その機能を実現する。各機能部の処理結果は、例えば、ＲＡＭ４０３、磁気ディスク４０５、光ディスク４０７などの記憶装置に記憶される。
【００７４】
受信部１１０１は、第１のプローブ情報を移動通信装置１０２−ｊから受信する機能を有する。ここで、第１のプローブ情報とは、移動通信装置１０２−ｊの位置情報、時刻情報、車輌識別子と移動通信装置１０２−ｊの周囲の環境を特徴付ける環境情報とを含むプローブ情報である。具体的には、例えば、受信部１１０１が、ネットワーク２１０を介して、図９に示した第１のプローブ情報９００を移動通信装置１０２−１から受信する。
【００７５】
登録部１１０２は、受信された第１のプローブ情報に含まれる移動通信装置１０２−ｊの位置情報、時刻情報、車輌識別子と、移動通信装置１０２−ｊの周囲の環境を特徴付ける環境情報とを関連付けて記憶装置に記憶する機能を有する。
【００７６】
具体的には、例えば、登録部１１０２が、第１のプローブ情報に含まれている各種情報（時刻、車両ＩＤ、緯度／経度、遅延量）をプローブ情報ＤＢ１１０内の各フィールドに設定する。この結果、受信された第１のプローブ情報に関するプローブ情報６００−ｋが新たなレコードとしてプローブ情報ＤＢ１１０に記憶される。
【００７７】
なお、この時点では、プローブ情報６００−ｋのエリアＩＤフィールドおよび水蒸気量フィールドは、情報が設定されていない未設定の状態である。また、ここでは第１のプローブ情報に含まれている時刻（位置情報の取得時刻）をプローブ情報ＤＢ１１０の時刻フィールドに設定することにしたが、第１のプローブ情報が受信された時刻を設定することにしてもよい。
【００７８】
第１の判定部１１０３は、受信された第１のプローブ情報に含まれる移動通信装置１０２−ｊの位置情報に基づいて、移動通信装置１０２−ｊが密集エリアＡｉ内に存在するか否かを判定する機能を有する。具体的には、例えば、第１の判定部１１０３が、図８に示したエリアテーブル８００を参照して、移動通信装置１０２−ｊが密集エリアＡｉ内に存在するか否かを判定する。
【００７９】
より具体的には、例えば、第１の判定部１１０３が、下記式（１）および（２）を用いて、移動通信装置１０２−ｊが密集エリアＡｉ内に存在するか否かを判定することができる。ただし、緯度ｘ／緯度ｙは、移動通信装置１０２−ｊの位置情報を示す緯度／経度である。緯度１／経度１および緯度２／経度２は、密集エリアＡｉの対角頂点の緯度／経度である。
【００８０】
緯度１≦緯度ｘ≦緯度２      ・・・（１）
経度１≦経度ｙ≦経度２      ・・・（２）
【００８１】
第１の判定部１１０３は、第１のプローブ情報に含まれる移動通信装置１０２−ｊの緯度ｘ／経度ｙを上記式（１）および（２）に代入する。さらに、第１の判定部１１０３は、密集エリアＡｉの緯度１／経度１および緯度２／経度２を上記式（１）および（２）に代入する。この結果、上記式（１）および（２）を満たす場合、第１の判定部１１０３は、移動通信装置１０２−ｊが密集エリアＡｉ内に存在すると判定する。
【００８２】
ここで、図９に示した第１のプローブ情報９００を例に挙げて、移動通信装置１０２−１が密集エリアＡ１内に存在するか否かを判定する場合について説明する。移動通信装置１０２−１の緯度ｘ／経度ｙは、「３５．６９／１３９．６９」である。また、密集エリアＡ１の緯度１／経度１および緯度２／経度２は、「３５．５０／１３９．５０」および「３６．００／１４０．００」である。
【００８３】
また、移動通信装置１０２−１の緯度ｘ／経度ｙと、密集エリアＡ１の緯度１／経度１および緯度２／経度２を上記式（１）および（２）に代入した代入結果は、下記（ａ）、（ｂ）の通りである。この場合、上記式（１）および（２）を満たすため、第１の判定部１１０３は、移動通信装置１０２−１が密集エリアＡ１内に存在すると判定する。
【００８４】
（ａ）緯度１「３５．５０」≦緯度ｘ「３５．６９」≦緯度２「３６．００」
（ｂ）経度１「１３９．５０」≦経度ｙ「１３９．６９」≦経度２「１４０．００」
【００８５】
上記第１の判定部１１０３は、エリアテーブル８００内の密集エリアＡ１〜Ａｎの中からいずれかの密集エリアＡｉを順次選択して、上記式（１）および（２）を用いた判定処理を行う。これにより、移動通信装置１０２−ｊが存在する密集エリアＡｉ、あるいは、移動通信装置１０２−ｊが密集エリアＡ１〜Ａｎのいずれの密集エリアＡｉにも存在しないことを判断することができる。
【００８６】
また、移動通信装置１０２−ｊが密集エリアＡｉ内に存在すると判定された場合、プローブ情報ＤＢ１１０内の該当するプローブ情報のエリアＩＤフィールドに、密集エリアＡｉのエリアＩＤが設定される。
【００８７】
また、第１の判定部１１０３は、移動通信装置１０２−ｊが特定の時期に密集エリアＡｉ内に存在するか否かを判定することにしてもよい。ここで、特定の時期とは、例えば、密集エリアＡｉに移動通信装置１０２−ｊが密集する月、日、曜日、時間帯などである。
【００８８】
具体的には、例えば、まず、移動通信装置１０２−ｊが密集エリアＡｉに存在する場合、第１の判定部１１０３が、エリアテーブル８００を参照して、密集エリアＡｉに対応する曜日および時間帯を特定する。この曜日は、密集エリアＡｉにおいて車両が密集する曜日である。この時間帯は、密集エリアＡｉにおいて車両が密集する時間帯である。
【００８９】
つぎに、第１の判定部１１０３が、第１のプローブ情報に含まれる時刻から、移動通信装置１０２−ｊが密集エリアＡｉに存在した曜日、時間帯を特定する。そして、第１の判定部１１０３が、移動通信装置１０２−ｊが密集エリアＡｉに存在した曜日、時間帯が、密集エリアＡｉに対応する曜日および時間帯に含まれるか否かを判定する。
【００９０】
例えば、移動通信装置１０２−１が密集エリアＡ１に存在した曜日を「水曜日」、時間帯を「９：００」とする。この場合、第１の判定部１１０３が、移動通信装置１０２−１が密集エリアＡｉに存在した曜日、時間帯が、密集エリアＡ１に対応する曜日「月−金」および時間帯「０８：００−１０：００」に含まれると判定する。
【００９１】
そして、第１の判定部１１０３が、移動通信装置１０２−１が特定の時期に密集エリアＡｉ内に存在すると判定する。これにより、移動通信装置１０２−１が、車両が密集する時期（曜日、時間帯）に密集エリアＡ１に存在するか否かを判定することができる。
【００９２】
上述した説明では、密集エリアＡｉに車両が密集する時期（曜日、時間帯）は予め設定されていることにしたが、これに限らない。具体的には、例えば、第１の判定部１１０３が、密集エリアＡｉにおける車両の密集度合いを計測して、現時点が特定の時期に含まれているか否かを判断することにしてもよい。
【００９３】
より具体的には、例えば、第１の判定部１１０３が、プローブ情報ＤＢ１１０を参照して、現在時刻を含む一定時間内（例えば、５分以内）に密集エリアＡｉ内に存在する移動通信装置１０２−ｊの数を計数する。そして、第１の判定部１１０３が、計数した計数結果が閾値α以上の場合、現時点が特定の時期に含まれていると判断する。
【００９４】
これにより、密集エリアＡｉにおける車両の密集度合いをリアルタイムに判断することができる。なお、上記閾値α（例えば、１０００）は、例えば、予め設定されてＲＯＭ４０２、ＲＡＭ４０３、磁気ディスク４０５、光ディスク４０７などの記憶装置に記憶されている。
【００９５】
送信部１１０４は、第１の判定部１１０３による判定結果を受取り、移動通信装置１０２−ｊが密集エリアＡｉ内に存在すると判定された場合、移動通信装置１０２−ｊの周囲の環境を特徴付ける環境情報の送信を停止する停止要求を移動通信装置１０２−ｊに送信する機能を有する。ここで、停止要求とは、移動通信装置１０２−ｊによる環境情報の送信を一時的に停止させるための制御信号である。
【００９６】
具体的には、例えば、まず、情報収集装置１０１が、図７に示す車両ＤＢ７００を参照して、受信した第１のプローブ情報に含まれる車両ＩＤに対応するアドレスを特定する。例えば、第１のプローブ情報に含まれる車両ＩＤが「Ｖ１」の場合、車両ＩＤ「Ｖ１」に対応するアドレス「１０．１０．ｘｘ．１０」が特定される。
【００９７】
そして、送信部１１０４が、特定されたアドレスを宛先として、環境情報の送信を停止する停止要求を送信する。具体的には、例えば、送信部１１０４が、アドレス「１０．１０．ｘｘ．１０」を宛先として、移動通信装置１０２−１の周囲の水蒸気量を特徴付けるＧＰＳ信号の遅延量の送信を停止する停止要求を送信する。
【００９８】
これにより、密集エリアＡｉにおける移動通信装置１０２−ｊから情報収集装置１０１へのＧＰＳ信号の遅延量の送信を一時的に停止させることができる。
【００９９】
また、送信部１１０４は、第１の判定部１１０３による判定結果を受取り、移動通信装置１０２−ｊが特定の時期に密集エリアＡｉ内に存在すると判定された場合、ＧＰＳ信号の遅延量の送信を停止する停止要求を移動通信装置１０２−ｊに送信することにしてもよい。これにより、車両が密集する特定の時期の密集エリアＡｉにおける移動通信装置１０２−ｊから情報収集装置１０１へのＧＰＳ信号の遅延量の送信を一時的に停止させることができる。
【０１００】
なお、上述した説明では、車両ＤＢ７００を参照して宛先となるアドレスを特定することにしたが、これに限らない。例えば、第１のプローブ情報に移動通信装置１０２−ｊのアドレスが含まれている場合、該アドレスを宛先として、送信部１１０４が停止要求を送信することにしてもよい。
【０１０１】
また、受信部１１０１は、停止要求が移動通信装置１０２−ｊに送信された後、第２のプローブ情報を移動通信装置１０２−ｊから受信する機能を有する。ここで、第２のプローブ情報とは、移動通信装置１０２−ｊの周囲の環境を特徴付ける環境情報を含まないプローブ情報である。具体的には、例えば、移動通信装置１０２−１に停止要求が送信された後、受信部１１０１が、ネットワーク２１０を介して、図１０に示した第２のプローブ情報１０００を移動通信装置１０２−１から受信する。
【０１０２】
また、登録部１１０２は、受信された第２のプローブ情報に含まれる移動通信装置１０２−ｊの位置情報、時刻情報、車輌識別子を記憶装置に記憶する機能を有する。具体的には、例えば、登録部１１０２が、第２のプローブ情報に含まれている各種情報（時刻、車両ＩＤ、緯度／経度）をプローブ情報ＤＢ１１０内の各フィールドに設定する。この結果、受信された第２のプローブ情報に関するプローブ情報６００−ｋが新たなレコードとしてプローブ情報ＤＢ１１０に記憶される。
【０１０３】
また、第１の判定部１１０３は、受信された第２のプローブ情報に含まれる移動通信装置１０２−ｊの位置情報に基づいて、移動通信装置１０２−ｊが密集エリアＡｉ内に存在するか否かを判定する機能を有する。具体的には、例えば、第１の判定部１１０３が、上記式（１）および（２）を用いて、移動通信装置１０２−ｊが密集エリアＡｉ内に存在するか否かを判定する。
【０１０４】
また、第１の判定部１１０３は、第２のプローブ情報に含まれる移動通信装置１０２−ｊの位置情報に基づいて、移動通信装置１０２−ｊが特定の時期に密集エリアＡｉ内に存在するか否かを判定することにしてもよい。これにより、移動通信装置１０２−ｊが、車両が密集する特定の時期に密集エリアＡｉに存在するか否かを判定することができる。
【０１０５】
第２の判定部１１０５は、移動通信装置１０２−ｊが密集エリアＡｉ内に存在する場合、密集エリアＡｉの環境情報のうち、最新の環境情報が取得されてから所定時間Ｔが経過しているか否かを判定する機能を有する。ここでの移動通信装置１０２−ｊは、第２のプローブ情報の送信元の移動通信装置、すなわち、停止要求の送信先の移動通信装置である。
【０１０６】
具体的には、例えば、まず、第２の判定部１１０５が、プローブ情報ＤＢ１１０を参照して、移動通信装置１０２−ｊから受信した第１のプローブ情報に含まれる時刻情報から遡って、所定時間Ｔ以内の情報を検索し、その中における停止要求の送信先の移動通信装置１０２−ｊが存在する密集エリアＡｉ上に位置するプローブ情報の有無を調べる。
【０１０７】
密集エリアＡｉ上に位置するプローブ情報が有る場合、第２の判定部１１０５が、最新のＧＰＳ信号の遅延量が取得されてから所定時間Ｔが経過していないと判定する。一方、密集エリアＡｉ上に位置するプローブ情報が無い場合、第２の判定部１１０５が、最新のＧＰＳ信号の遅延量が取得されてから所定時間Ｔが経過していると判定する。
【０１０８】
上記所定時間Ｔは、例えば、観測対象となる気象現象に対応する水蒸気量の時間分解能に基づいて設定される。以下、観測対象となる気象現象に応じた所定時間Ｔの設定例について説明する。
【０１０９】
例えば、観測対象となる気象現象が局地的豪雨（ゲリラ豪雨）の場合、局地的豪雨の時間スケールは１時間程度となり、要求される水蒸気量の時間分解能は５分程度となる。この場合、所定時間Ｔは、例えば、５［分］として設定される。
【０１１０】
例えば、観測対象となる気象現象が対流性豪雨（集中豪雨）の場合、対流性豪雨の時間スケールは１．５〜３時間程度となり、要求される水蒸気量の時間分解能は３０〜４５分程度となる。この場合、所定時間Ｔは、例えば、３０〜４５［分］として設定される。
【０１１１】
例えば、観測対象となる気象現象が寒冷前線の場合、寒冷前線の時間スケールは２４時間程度となり、要求される水蒸気量の時間分解能は１時間程度となる。この場合、所定時間Ｔは、例えば、１［時間］として設定される。なお、所定時間Ｔは、例えば、予め設定されてＲＯＭ４０２、ＲＡＭ４０３、磁気ディスク４０５、光ディスク４０７などの記憶装置に記憶されている。
【０１１２】
また、送信部１１０４は、所定時間Ｔが経過している場合、移動通信装置１０２−ｊの周囲の環境を特徴付ける環境情報の送信を停止する停止状態からの復帰要求を、停止要求の送信先の移動通信装置１０２−ｊに送信する機能を有する。ここで、復帰要求とは、環境情報の送信を停止する停止状態から、環境情報を送信する通常状態に復帰させるための制御信号である。
【０１１３】
具体的には、例えば、まず、情報収集装置１０１が、車両ＤＢ７００を参照して、受信した第２のプローブ情報に含まれる車両ＩＤに対応するアドレスを特定する。例えば、第２のプローブ情報に含まれる車両ＩＤが「Ｖ１」の場合、車両ＩＤ「Ｖ１」に対応するアドレス「１０．１０．ｘｘ．１０」が特定される。
【０１１４】
そして、送信部１１０４が、特定されたアドレスを宛先として、環境情報の送信を停止する停止状態からの復帰要求を送信する。具体的には、例えば、送信部１１０４が、アドレス「１０．１０．ｘｘ．１０」を宛先として、移動通信装置１０２−１の周囲の水蒸気量を特徴付けるＧＰＳ信号の遅延量の送信を停止する停止状態からの復帰要求を送信する。
【０１１５】
これにより、密集エリアＡｉのＧＰＳ信号の遅延量が所定時間Ｔ以上継続して取得されていない場合に、密集エリアＡｉにおける移動通信装置１０２−ｊから情報収集装置１０１へのＧＰＳ信号の遅延量の送信を再開させることができる。
【０１１６】
また、第２の判定部１１０５は、停止要求の送信先の移動通信装置１０２−ｊが特定の時期に密集エリアＡｉ内に存在する場合、密集エリアＡｉの環境情報のうち、最新の環境情報が取得されてから所定時間Ｔが経過しているか否かを判定することにしてもよい。そして、送信部１１０４は、所定時間Ｔが経過している場合、停止要求の送信先の移動通信装置１０２−ｊに復帰要求を送信することにしてもよい。
【０１１７】
これにより、車両が密集する特定の時期の密集エリアＡｉにおける移動通信装置１０２−ｊから情報収集装置１０１へのＧＰＳ信号の遅延量の送信を再開させることができる。
【０１１８】
また、送信部１１０４は、停止要求の送信先の移動通信装置１０２−ｊが密集エリアＡｉ内に存在しない場合、環境情報の送信を停止する停止状態からの復帰要求を移動通信装置１０２−ｊに送信する機能を有する。これにより、停止要求の送信先の移動通信装置１０２−ｊが密集エリアＡｉから退出した場合に、移動通信装置１０２−ｊから情報収集装置１０１へのＧＰＳ信号の遅延量の送信を再開させることができる。
【０１１９】
また、送信部１１０４は、移動通信装置１０２−ｊが特定の時期に密集エリアＡｉ内に存在しない場合、環境情報の送信を停止する停止状態からの復帰要求を移動通信装置１０２−ｊに送信することにしてもよい。これにより、停止要求の送信先の移動通信装置１０２−ｊが密集エリアＡｉに存在する場合であっても、車両が密集する特定の時期を過ぎた際に、移動通信装置１０２−ｊから情報収集装置１０１へのＧＰＳ信号の遅延量の送信を再開させることができる。
【０１２０】
算出部１１０６は、受信された第１のプローブ情報に含まれるＧＰＳ信号の遅延量に基づいて、移動通信装置１０２−ｊとＧＰＳ衛星とをつなぐ直線間の水蒸気量を算出する機能を有する。具体的には、例えば、算出部１１０６が、下記式（４）〜（６）の関係を利用して、移動通信装置１０２−ｊとＧＰＳ衛星とをつなぐ直線間の水蒸気量を見積もることができる。
【０１２１】
なお、屈折指数は、乾燥大気と湿潤大気で分けられるものとし、積分はＧＰＳ信号の幾何学的経路に沿って行われる。また、乾燥大気による影響（下記式（４）の右辺第１項）は、地上気圧を利用して算出することができる。
【０１２２】
【数１】
2012198645.tif 000003
【０１２３】
算出部１１０６は、第１のプローブ情報に含まれるＧＰＳ信号の遅延量を、上記式（４）のΔTropに代入して得られる関係から、移動通信装置１０２−ｊとＧＰＳ衛星とをつなぐ直線間の水蒸気量を見積もることができる。
【０１２４】
算出された水蒸気量は、例えば、プローブ情報ＤＢ１１０に記憶される。具体的には、例えば、算出された水蒸気量は、第１のプローブ情報に関するプローブ情報６００−ｋの水蒸気量フィールドに設定される。
【０１２５】
出力部１１０７は、算出された算出結果を出力する。出力部１１０７の出力形式としては、例えば、ディスプレイ４０８への表示、プリンタ４１３への印刷出力、Ｉ／Ｆ４０９による外部装置への送信がある。また、ＲＡＭ４０３、磁気ディスク４０５、光ディスク４０７などの記憶領域に記憶することにしてもよい。
【０１２６】
具体的には、例えば、出力部１１０７が、プローブ情報ＤＢ１１０内のプローブ情報６００−ｋの「時刻」と「緯度／経度」と「水蒸気量」とを関連付けて示す水蒸気量情報を出力することにしてもよい。ここで、水蒸気量情報をリスト化して示す水蒸気量リスト１２００について説明する。
【０１２７】
図１２は、水蒸気量リスト１２００の具体例を示す説明図である。図１２において、水蒸気量リスト１２００は、複数の水蒸気量情報（例えば、水蒸気量情報１２００−１〜１２００−３）をリスト化して示す情報である。
【０１２８】
ここで、時刻は、水蒸気量の算出に利用されたＧＰＳ信号の遅延量が取得された時刻、すなわち、移動通信装置１０２−ｊの位置情報が取得された時刻である。緯度／経度は、水蒸気量に対応する地点の緯度／経度、すなわち、移動通信装置１０２の位置情報である。水蒸気量は、移動通信装置１０２−ｊとＧＰＳ衛星とをつなぐ直線間の水蒸気量［ｇ／ｍ3］である。
【０１２９】
これにより、同一時間帯における水蒸気量分布を作成して、該時間帯における降水可能性を示すことができる。また、水蒸気量分布と他の気象情報とを併用することで、降水予測に活用することができる。
【０１３０】
上述した説明では、情報収集装置１０１が水蒸気量を算出する算出部１１０６を備えることにしたが、これに限らない。具体的には、例えば、情報収集装置１０１とは異なる他のコンピュータがプローブ情報ＤＢ１１０にアクセスして、移動通信装置１０２−ｊとＧＰＳ衛星とをつなぐ直線間の水蒸気量を算出することにしてもよい。
【０１３１】
また、上述した説明では、密集エリアＡｉを対角頂点の緯度／経度を用いて表現することにしたが、これに限らない。具体的には、例えば、密集エリアＡｉをノードとリンクの集合として表現することにしてもよい。この場合、第１の判定部１１０３は、例えば、各ノードと各リンクの緯度、経度情報に基づいて、移動通信装置１０２−ｊがノード上またはリンク上に存在するか否かを判定することにより、移動通信装置１０２−ｊが密集エリアＡｉ内に存在するか否かを判定する。
【０１３２】
また、上述した説明では、移動通信装置１０２−ｊが密集エリアＡｉに存在する場合に、移動通信装置１０２−ｊから情報収集装置１０１への環境情報の送信を一時的に停止させることにしたが、これに限らない。具体的には、例えば、移動通信装置１０２−ｊが特定のエリアＡ（密集エリアＡｉに限らない）を進行する際に、移動通信装置１０２−ｊから情報収集装置１０１への環境情報の送信を行わせることにしてもよい。この場合、特定のエリアＡの環境情報を取得してから所定時間Ｔ経過後に、その都度、特定のエリアＡに存在する、あるいはエリアＡ内を進行する移動通信装置１０２−ｊから情報収集装置１０１への環境情報の送信を行わせることになる。
【０１３３】
（移動通信装置１０２−ｊの機能的構成例）
つぎに、移動通信装置１０２−ｊの機能的構成例について説明する。図１３は、実施の形態にかかる移動通信装置１０２−ｊの機能的構成を示すブロック図である。図１３において、移動通信装置１０２−ｊは、取得部１３０１と、送信部１３０２と、受信部１３０３と、送信制御部１３０４と、を含む構成である。この制御部となる機能（取得部１３０１〜送信制御部１３０４）は、具体的には、例えば、図５に示したＲＯＭ５０２、ＲＡＭ５０３、磁気ディスク５０５、光ディスク５０７などの記憶装置に記憶されたプログラムをＣＰＵ５０１に実行させることにより、または、Ｉ／Ｆ５０９により、その機能を実現する。各機能部の処理結果は、例えば、ＲＡＭ５０３、磁気ディスク５０５、光ディスク５０７などの記憶装置に記憶される。
【０１３４】
取得部１３０１は、自装置の位置情報を取得する機能を有する。具体的には、例えば、取得部１３０１が、自装置に搭載されたＧＰＳユニット５１１により、自装置の位置情報を取得する。自装置の位置情報には、該位置情報が取得された時刻が付与されている。なお、取得部１３０１は、各種センサ５１２の出力値やＤＧＰＳ（Ｄｉｆｆｅｒｅｎｔｉａｌ  ＧＰＳ）により、ＧＰＳユニット５１１により取得した位置情報を補正することにしてもよい。
【０１３５】
また、取得部１３０１は、自装置の周囲の環境を特徴付ける環境情報を取得する機能を有する。具体的には、例えば、取得部１３０１が、自装置の位置情報の算出に利用されたＧＰＳ信号の遅延量を取得する。また、取得部１３０１が、各種センサ５１２の出力値（気温、気圧など）を取得することにしてもよい。
【０１３６】
ここで、移動通信装置１０２−ｊの位置情報は、複数のＧＰＳ衛星（例えば、４つ以上のＧＰＳ衛星）からのＧＰＳ信号をもとに取得される。これにより、ＧＰＳ信号が大気中を通過する際の大気遅延による測位誤差を低減して、移動通信装置１０２−ｊの位置情報を補正することができる。
【０１３７】
ここでは、取得部１３０１が、複数のＧＰＳ衛星のうちいずれかのＧＰＳ衛星からのＧＰＳ信号をもとに取得される移動通信装置１０２−ｊの位置と補正後の移動通信装置１０２−ｊの位置とのずれを、ＧＰＳ衛星からのＧＰＳ信号の遅延量として取得する。
【０１３８】
送信部１３０２は、第１のプローブ情報を情報収集装置１０１に送信する機能を有する。ここで、第１のプローブ情報は、取得部１３０１によって取得された、自装置の位置情報、時刻情報、予め割り当てられた車輌識別子と、自装置の周囲の環境を特徴付ける環境情報とを含む情報である（図９参照）。
【０１３９】
受信部１３０３は、自装置の周囲の環境を特徴付ける環境情報の送信を停止する停止要求を情報収集装置１０１から受信する機能を有する。具体的には、例えば、受信部１３０３が、自装置の周囲の水蒸気量を特徴付けるＧＰＳ信号の遅延量の送信を停止する停止要求を情報収集装置１０１から受信する。
【０１４０】
送信制御部１３０４は、停止要求が受信された場合、送信部１３０２を制御して、第２のプローブ情報を情報収集装置１０１に送信する機能を有する。ここで、第２のプローブ情報は、取得部１３０１によって取得された自装置の位置情報、時刻情報、車輌識別子を含む情報である（図１０参照）。すなわち、送信制御部１３０４が、自装置の周囲の環境を特徴付ける環境情報を情報収集装置１０１に送信しないように制御する。
【０１４１】
これにより、移動通信装置１０２−ｊから情報収集装置１０１へのＧＰＳ信号の遅延量の送信を一時的に停止させることができる。
【０１４２】
また、受信部１３０３は、自装置の周囲の環境を特徴付ける環境情報の送信を停止する停止状態からの復帰要求を情報収集装置１０１から受信する機能を有する。具体的には、例えば、受信部１３０３が、自装置の周囲の水蒸気量を特徴付けるＧＰＳ信号の遅延量の送信を停止する停止状態からの復帰要求を情報収集装置１０１から受信する。
【０１４３】
また、送信制御部１３０４は、復帰要求が受信された場合、直前に送信したプローブ情報と同じタイミングで取得していた環境情報を、情報収集装置１０１に送信する機能を有する。また、送信制御部１３０４は、送信部１３０２を制御して、第１のプローブ情報を情報収集装置１０１に送信する機能を有する。これにより、移動通信装置１０２−ｊから情報収集装置１０１へのＧＰＳ信号の遅延量の送信を再開させることができる。
【０１４４】
なお、送信部１３０２の送信処理は、送信制御部１３０４の制御にしたがって、例えば、一定時間ｔ0間隔（例えば、２分、１０分）で実行される。一定時間ｔ0は、例えば、予め設定されてＲＯＭ５０２、ＲＡＭ５０３、磁気ディスク５０５、光ディスク５０７などの記憶装置に記憶されている。
【０１４５】
（情報収集装置１０１の情報収集処理手順）
つぎに、実施の形態にかかる情報収集装置１０１の情報収集処理手順について説明する。まず、情報収集装置１０１が移動通信装置１０２−ｊから第１のプローブ情報を受信した場合の情報収集処理手順について説明する。
【０１４６】
図１４および図１５は、実施の形態にかかる情報収集装置１０１の情報収集処理手順の一例を示すフローチャート（その１）である。図１４のフローチャートにおいて、まず、受信部１１０１により、移動通信装置１０２−ｊからプローブ情報を受信する（ステップＳ１４０１）。
【０１４７】
そして、情報収集装置１０１により、受信したプローブ情報が、第１のプローブ情報であるか、第２のプローブ情報であるかを判断する（ステップＳ１４０２）。第１のプローブ情報が受信された場合（ステップＳ１４０２：第１）、登録部１１０２により、受信された第１のプローブ情報をプローブ情報ＤＢ１１０に登録する（ステップＳ１４０３）。
【０１４８】
一方、第２のプローブ情報が受信された場合（ステップＳ１４０２：第２）、図１５に示すＳ１５０１に移行する。つぎに、第１の判定部１１０３により、受信された第１のプローブ情報に含まれる移動通信装置１０２−ｊの位置情報に基づいて、移動通信装置１０２−ｊが密集エリアＡｉ内に存在するか否かを判定する（ステップＳ１４０４）。
【０１４９】
ここで、密集エリアＡｉ内に存在しない場合（ステップＳ１４０４：Ｎｏ）、本フローチャートによる一連の処理を終了する。一方、密集エリアＡｉ内に存在する場合（ステップＳ１４０４：Ｙｅｓ）、第１の判定部１１０３により、受信された第１のプローブ情報に含まれる時刻から特定される時期が、密集エリアＡｉに対応する特定の時期か否かを判定する（ステップＳ１４０５）。
【０１５０】
ここで、特定の時期ではない場合（ステップＳ１４０５：Ｎｏ）、本フローチャートによる一連の処理を終了する。一方、特定の時期の場合（ステップＳ１４０５：Ｙｅｓ）、送信部１１０４により、ＧＰＳ信号の遅延量の送信を停止する停止要求を移動通信装置１０２−ｊに送信して（ステップＳ１４０６）、本フローチャートによる一連の処理を終了する。
【０１５１】
これにより、車両が密集する特定の時期の密集エリアＡｉにおける移動通信装置１０２−ｊから情報収集装置１０１へのＧＰＳ信号の遅延量の送信を一時的に停止させることができる。
【０１５２】
つぎに、図１５を用いて、情報収集装置１０１が移動通信装置１０２−ｊから第２のプローブ情報を受信した場合の情報収集処理手順について説明する。
【０１５３】
図１５のフローチャートにおいて、登録部１１０２により、受信された第２のプローブ情報をプローブ情報ＤＢ１１０に登録する（ステップＳ１５０１）。つぎに、第１の判定部１１０３により、受信された第２のプローブ情報に含まれる移動通信装置１０２−ｊの位置情報に基づいて、移動通信装置１０２−ｊが密集エリアＡｉ内に存在するか否かを判定する（ステップＳ１５０２）。
【０１５４】
ここで、密集エリアＡｉ内に存在しない場合（ステップＳ１５０２：Ｎｏ）、ステップＳ１５０６に移行する。一方、密集エリアＡｉ内に存在する場合（ステップＳ１５０２：Ｙｅｓ）、第１の判定部１１０３により、受信された第２のプローブ情報に含まれる時刻から特定される時期が、密集エリアＡｉに対応する特定の時期か否かを判定する（ステップＳ１５０３）。
【０１５５】
ここで、特定の時期ではない場合（ステップＳ１５０３：Ｎｏ）、ステップＳ１５０７に移行する。一方、特定の時期の場合（ステップＳ１５０３：Ｙｅｓ）、第２の判定部１１０５により、プローブ情報ＤＢ１１０を参照して、所定時間Ｔ内の密集エリアＡｉ上に位置するプローブ情報を検索する（ステップＳ１５０５）。
【０１５６】
密集エリアＡｉ上に位置するプローブ情報が有る場合（ステップＳ１５０５：Ｎｏ）、本フローチャートによる一連の処理を終了する。一方、密集エリアＡｉ上に位置するプローブ情報が無い（ステップＳ１５０５：Ｙｅｓ）、送信部１１０４により、ＧＰＳ信号の遅延量の送信を停止する停止状態からの復帰要求を移動通信装置１０２−ｊに送信して（ステップＳ１５０６）、本フローチャートによる一連の処理を終了する。
【０１５７】
これにより、密集エリアＡｉのＧＰＳ信号の遅延量が所定時間Ｔ以上継続して取得されていない場合に、密集エリアＡｉにおける移動通信装置１０２−ｊから情報収集装置１０１へのＧＰＳ信号の遅延量の送信を再開させることができる。また、停止要求の送信先の移動通信装置１０２−ｊが密集エリアＡｉから退出した場合に、移動通信装置１０２−ｊから情報収集装置１０１へのＧＰＳ信号の遅延量の送信を再開させることができる。
【０１５８】
（移動通信装置１０２−ｊの情報提供処理手順）
つぎに、実施の形態にかかる移動通信装置１０２−ｊの情報提供処理手順について説明する。図１６は、実施の形態にかかる移動通信装置１０２−ｊの情報提供処理手順の一例を示すフローチャートである。
【０１５９】
図１６のフローチャートにおいて、まず、送信制御部１３０４により、前回プローブ情報を送信してから、一定時間ｔ0が経過しているか否かを判断する（ステップＳ１６０１）。ｔ0が経過していない場合（ステップ１６０１：Ｎｏ）、本フローチャートによる一連の処理を終了する。ｔ0が経過している場合（ステップ１６０１：Ｙｅｓ）、取得部１３０１により、自装置の位置情報、時刻情報およびＧＰＳ信号の遅延量を取得する（ステップＳ１６０２）。
【０１６０】
つぎに、受信部１３０３により、ＧＰＳ信号の遅延量の送信を停止する停止要求を情報収集装置１０１から受信したか否かを判断する（ステップＳ１６０３）。ここで、停止要求を受信していない場合（ステップＳ１６０３：Ｎｏ）、移動通信装置１０２−ｊが環境情報送信状態であるか否かを判断する（ステップＳ１６０４）。
【０１６１】
移動通信装置１０２−ｊが環境情報送信状態である場合（ステップ１６０４：Ｙｅｓ）、送信制御部１３０４により、送信部１３０２を制御して、取得された自装置の位置情報およびＧＰＳ信号の遅延量を含む第１のプローブ情報を情報収集装置１０１に送信する（ステップＳ１６０５）。
【０１６２】
また、移動通信装置１０２−ｊが環境情報送信状態でない場合（ステップ１６０４：Ｎｏ）、送信制御部１３０４により、送信部１３０２を制御して、取得された自装置の位置情報を含む第２のプローブ情報を情報収集装置１０１に送信する（ステップＳ１６０７)。
【０１６３】
また、ステップＳ１６０３において、停止要求を受信した場合（ステップＳ１６０３：Ｙｅｓ）、移動通信装置１０２−ｊを環境情報非送信状態へと遷移させる（ステップＳ１６０６）。そして、送信制御部１３０４により、送信部１３０２を制御して、取得された自装置の位置情報を含む第２のプローブ情報を情報収集装置１０１に送信する（ステップＳ１６０７)。
【０１６４】
つぎに、受信部１３０３により、ＧＰＳ信号の遅延量の送信を停止する停止状態からの復帰要求を情報収集装置１０１から受信したか否かを判断する（ステップＳ１６０８）。ここで、復帰要求を受信していない場合（ステップＳ１６０８：Ｎｏ）、本フローチャートによる一連の処理を終了する。
【０１６５】
また、ステップＳ１６０８において、復帰要求を受信した場合（ステップＳ１６０８：Ｙｅｓ）、直前に送信した第２のプローブ情報と同じタイミングで取得した環境情報を、情報収集装置１０１へ送信する（ステップＳ１６０９）。そして、移動通信装置１０２−ｊを環境情報送信状態へと遷移させる（ステップＳ１６１０）。
【０１６６】
これにより、自装置の周囲の水蒸気量を特徴付けるＧＰＳ信号の遅延量を情報収集装置１０１に提供することができる。また、情報収集装置１０１から停止要求を受信した場合は、情報収集装置１０１へのＧＰＳ信号の遅延量の送信を一時的に停止することができる。また、情報収集装置１０１から復帰要求を受信した場合は、情報収集装置１０１へのＧＰＳ信号の遅延量の送信を再開することができる。
【０１６７】
以上説明したように、実施の形態にかかる情報収集システム３００によれば、移動通信装置１０２−ｊが密集エリアＡｉを進行する際に、移動通信装置１０２−ｊから情報収集装置１０１へのＧＰＳ信号の遅延量の送信を一時的に停止させることができる。
【０１６８】
これにより、車両が密集する領域内に存在する移動通信装置１０２−ｊからの情報収集を制限することができる。この結果、定期的にプローブ情報をアップロードする複数の移動通信装置間で情報内容が重複または類似するために利用されないデータの送信を抑制することができる。
【０１６９】
また、情報収集システム３００によれば、密集エリアＡｉ内で収集されたＧＰＳ信号の遅延量が所定時間Ｔ以上継続して取得されていない場合、密集エリアＡｉにおける移動通信装置１０２−ｊから情報収集装置１０１へのＧＰＳ信号の遅延量の送信を再開させることができる。
【０１７０】
また、情報収集システム３００によれば、停止要求の送信先の移動通信装置１０２−ｊが密集エリアＡｉから退出した場合、移動通信装置１０２−ｊから情報収集装置１０１へのＧＰＳ信号の遅延量の送信を再開させることができる。
【０１７１】
また、情報収集システム３００によれば、移動通信装置１０２−ｊが特定の時期に密集エリアＡｉを進行する際に、移動通信装置１０２−ｊから情報収集装置１０１へのＧＰＳ信号の遅延量の送信を一時的に停止させることができる。これにより、車両が密集する特定の時期に密集エリアＡｉ内に存在する移動通信装置１０２−ｊからの情報収集を制限することができる。
【０１７２】
また、情報収集システム３００によれば、停止要求の送信先の移動通信装置１０２−ｊが密集エリアＡｉに存在する場合であっても、特定の時期を過ぎた場合、移動通信装置１０２−ｊから情報収集装置１０１へのＧＰＳ信号の遅延量の送信を再開させることができる。
【０１７３】
また、情報収集システム３００によれば、移動通信装置１０２−ｊから収集したＧＰＳ信号の遅延量に基づいて、移動通信装置１０２−ｊとＧＰＳ衛星とをつなぐ直線間の水蒸気量を算出することができる。これにより、水蒸気量分布を知ることができる。
【０１７４】
また、情報収集システム３００によれば、密集エリアＡｉの大きさを、観測対象となる気象現象に対応する水蒸気量の空間分解能に基づいて設定することができる。これにより、所望の気象現象を観測する際に必要となる空間分解能を満たす水蒸気量を求めることができる。
【０１７５】
また、情報収集システム３００によれば、密集エリアＡｉにおけるＧＰＳ信号の遅延量の収集を停止する期間を表す所定時間Ｔを、観測対象となる気象現象に対応する水蒸気量の時間分解能に基づいて設定することができる。これにより、所望の気象現象を観測する際に必要となる時間分解能を満たす水蒸気量を求めることができる。
【０１７６】
これらのことから、本実施の形態にかかる情報収集システム３００によれば、利用されないデータの通信にかかる無駄な通信資源の使用を抑制して通信資源を効率的に使用することができる。また、情報収集システム３００によれば、利用されないデータを収集しないため、情報収集装置１０１における記憶領域の使用量を削減することができる。
【０１７７】
なお、本実施の形態で説明した情報収集方法は、予め用意されたプログラムをパーソナル・コンピュータやワークステーション等のコンピュータで実行することにより実現することができる。本情報収集プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、本情報収集プログラムは、インターネット等のネットワークを介して配布してもよい。
【０１７８】
上述した実施の形態に関し、さらに以下の付記を開示する。
【０１７９】
（付記１）移動通信装置の位置情報を少なくとも含むプローブ情報を前記移動通信装置から受信し、
受信した前記移動通信装置のプローブ情報が、周囲の環境を特徴付ける環境情報を含む第１のプローブ情報であるか、周囲の環境を特徴付ける環境情報を含まない第２のプローブ情報であるかを判断し、
前記プローブ情報が前記第１のプローブ情報である場合、該第１のプローブ情報を記憶部に記憶し、
受信した前記移動通信装置のプローブ情報に含まれる位置情報に基づいて、前記移動通信装置が特定のエリア内に存在するか否かを判定し、
前記移動通信装置が前記特定のエリア内に存在する場合、前記移動通信装置の周囲の環境を特徴付ける環境情報の送信を停止する停止要求を前記移動通信装置に送信する、
処理をコンピュータが実行することを特徴とする情報収集方法。
【０１８０】
（付記２）前記停止要求を前記移動通信装置に送信した後、前記移動通信装置のプローブ情報を前記移動通信装置から受信し、
受信した前記移動通信装置のプローブ情報に含まれる位置情報に基づいて、前記移動通信装置が前記特定のエリア内に存在するか否かを判定し、
前記移動通信装置が前記特定のエリア内に存在する場合、前記記憶部に記憶されている前記特定のエリアの環境情報のうち受信した前記プローブ情報に含まれる時刻情報から所定時間内に取得された情報があるか否かを判定し、
前記所定時間内に取得された情報がない場合、前記移動通信装置の周囲の環境を特徴付ける環境情報の送信を停止する停止状態からの復帰要求を前記移動通信装置に送信する、
処理を前記コンピュータが実行することを特徴とする付記１に記載の情報収集方法。
【０１８１】
（付記３）前記所定時間内に取得された情報の有無を判定する処理は、
前記記憶部に前記環境情報と関連付けて記憶されている前記位置情報が取得された時点と、受信した前記移動通信装置の位置情報が取得された時点とに基づいて、前記所定時間内に取得された情報があるか否かを判定することを特徴とする付記１または２に記載の情報収集方法。
【０１８２】
（付記４）前記停止要求を前記移動通信装置に送信した後、前記移動通信装置のプローブ情報を前記移動通信装置から受信し、
受信した前記移動通信装置のプローブ情報に含まれる位置情報に基づいて、前記移動通信装置が前記特定のエリア内に存在するか否かを判定し、
前記移動通信装置が前記特定のエリア内に存在しない場合、前記移動通信装置の周囲の環境を特徴付ける環境情報の送信を停止する停止状態からの復帰要求を前記移動通信装置に送信する、
処理を前記コンピュータが実行することを特徴とする付記１〜３のいずれか一つに記載の情報収集方法。
【０１８３】
（付記５）前記移動通信装置が前記特定のエリア内に存在するか否かを判定する処理は、
受信した前記移動通信装置の位置情報および当該位置情報が取得された時点に基づいて、前記移動通信装置が特定の時期に前記特定のエリア内に存在するか否かを判定し、
前記停止要求を送信する処理は、
前記移動通信装置が前記特定の時期に前記特定のエリア内に存在する場合、前記停止要求を前記移動通信装置に送信することを特徴とする付記１〜４のいずれか一つに記載の情報収集方法。
【０１８４】
（付記６）前記停止要求を前記移動通信装置に送信した後に、前記移動通信装置が前記特定のエリア内に存在するか否かを判定する処理は、
受信した前記移動通信装置の位置情報および当該位置情報が取得された時点に基づいて、前記移動通信装置が特定の時期に前記特定のエリア内に存在するか否かを判定し、
前記所定時間が経過しているか否かを判定する処理は、
前記移動通信装置が前記特定の時期に前記特定のエリア内に存在する場合、前記記憶部に記憶されている前記特定のエリアの環境情報のうち最新の環境情報が取得されてから前記所定時間が経過しているか否かを判定することを特徴とする付記２または３に記載の情報収集方法。
【０１８５】
（付記７）前記復帰要求を送信する処理は、
前記移動通信装置が前記特定の時期に前記特定のエリア内に存在しない場合、前記復帰要求を前記移動通信装置に送信することを特徴とする付記６に記載の情報収集方法。
【０１８６】
（付記８）前記移動通信装置の周囲の環境を特徴付ける環境情報は、ＧＰＳ衛星から発信されるＧＰＳ信号の遅延量を示すことを特徴とする付記１〜７のいずれか一つに記載の情報収集方法。
【０１８７】
（付記９）前記特定のエリアの大きさは、観測対象となる気象現象に対応する水蒸気量の空間分解能に基づいて設定されることを特徴とする付記８に記載の情報収集方法。
【０１８８】
（付記１０）前記所定時間は、観測対象となる気象現象に対応する水蒸気量の時間分解能に基づいて設定されることを特徴とする付記８または９に記載の情報収集方法。
【０１８９】
（付記１１）移動通信装置の位置情報を少なくとも含むプローブ情報を前記移動通信装置から受信し、
受信した前記移動通信装置のプローブ情報が、周囲の環境を特徴付ける環境情報を含む第１のプローブ情報であるか、周囲の環境を特徴付ける環境情報を含まない第２のプローブ情報であるかを判断し、
前記プローブ情報が前記第１のプローブ情報である場合、該第１のプローブ情報を記憶部に記憶し、
受信した前記移動通信装置のプローブ情報に含まれる位置情報に基づいて、前記移動通信装置が特定のエリア内に存在するか否かを判定し、
前記移動通信装置が前記特定のエリア内に存在する場合、前記移動通信装置の周囲の環境を特徴付ける環境情報の送信を停止する停止要求を前記移動通信装置に送信する、
処理をコンピュータに実行させることを特徴とする情報収集プログラム。
【０１９０】
（付記１２）移動通信装置の位置情報と前記移動通信装置の周囲の環境を特徴付ける環境情報とを前記移動通信装置から受信する受信部と、
前記受信部によって受信された前記移動通信装置の位置情報に基づいて、前記移動通信装置が特定のエリア内に存在するか否かを判定する判定部と、
前記判定部によって前記移動通信装置が前記特定のエリア内に存在すると判定された場合、前記移動通信装置の周囲の環境を特徴付ける環境情報の送信を停止する停止要求を前記移動通信装置に送信する送信部と、
を備えることを特徴とする情報収集装置。
【符号の説明】
【０１９１】
１０１  情報収集装置
１０２，１０２−１〜１０２−ｍ，１０２−ｊ  移動通信装置
１１０  プローブ情報ＤＢ
８００  エリアテーブル
１１０１，１３０３  受信部
１１０２  登録部
１１０３  第１の判定部
１１０４，１３０２  送信部
１１０５  第２の判定部
１１０６  算出部
１１０７  出力部
１３０１  取得部
１３０４  送信制御部
【図１】
2012198645.tif 000004
【図２】
2012198645.tif 000005
【図３】
2012198645.tif 000006
【図４】
2012198645.tif 000007
【図５】
2012198645.tif 000008
【図６】
2012198645.tif 000009
【図７】
2012198645.tif 000010
【図８】
2012198645.tif 000011
【図９】
2012198645.tif 000012
【図１０】
2012198645.tif 000013
【図１１】
2012198645.tif 000014
【図１２】
2012198645.tif 000015
【図１３】
2012198645.tif 000016
【図１４】
2012198645.tif 000017
【図１５】
2012198645.tif 000018
【図１６】
2012198645.tif 000019